(57)【要約】  【課題】緊急時の脱出が可能であると共に低コストでセキュリティも確保した面格子付の窓建具を提供する。  【解決手段】実施形態に係る窓建具１は、建物の窓開口部に設置された窓枠３０と、窓枠３０に対してスライド可能に設置された第一ガラス戸２１及び第二ガラス戸２２と、第一ガラス戸２１及び第二ガラス戸２２が閉じられた状態で、第一ガラス戸２１の外側だけに設置された片側面格子１０と、第二ガラス戸２２を閉じた状態で、第二ガラス戸のみを窓枠３０に対して固定するための引き戸ロック部材４０と、を備える。【選択図】図１
2011058191.tif 000002
【特許請求の範囲】
【請求項１】
建物の窓開口部に設置された窓枠と、
前記窓枠に対してスライド可能に設置された第一引き戸及び第二引き戸と、
前記第一引き戸及び前記第二引き戸が閉じられた状態で、前記第一引き戸の外側だけに設置された片側固定面格子と、
前記第二引き戸を閉じた状態で、前記第二引き戸のみを前記窓枠に対して固定するための引き戸ロック部材と、を備えることを特徴とする窓建具。
【請求項２】
前記第一引き戸及び前記第二引き戸は、前記第一引き戸が内側において、前記第二引き戸が外側において前記窓枠に対してスライドするように設置されており、
前記引き戸ロック部材は、前記第二引き戸と前記第一引き戸との間に設置されていることを特徴とする請求項１記載の窓建具。
【請求項３】
前記引き戸ロック部材は、前記第二引き戸の内側の上部又は下部であって、前記第二引き戸の前記第一引き戸に寄った側に設けられていることを特徴とする請求項２記載の窓建具。
【請求項４】
第一引き戸及び第二引き戸が窓枠に対してスライド可能に設置された窓建具のセキュリティを向上させるために設置される窓建具において、
前記第一引き戸及び前記第二引き戸が閉じられた状態で、前記第一引き戸の外側だけに設置される片側固定面格子と、
前記第二引き戸を閉じた状態で、前記第二引き戸のみを前記窓枠に対して固定するための引き戸ロック部材と、を備えることを特徴とする窓建具。
【発明の詳細な説明】
【技術分野】
【０００１】
本発明は、住宅等の建物の開口部である窓を開閉するために設置される窓建具に関し、特に、面格子が設置された窓建具に関する。
【背景技術】
【０００２】
従来から、防犯等のため、住宅の窓の外側に窓開口部全体を覆う面格子を設置することが行われている。面格子は、主として、アルミ、ステンレス、鉄等の金属で造られる窓の柵であり、面格子を設置することで、窓のガラス戸の鍵を掛け忘れていたり、ガラス戸が割られたりしたとしても、頑丈な柵により不審者の侵入を阻止することができ、住宅のセキュリティを確保することができる。
【０００３】
しかし、建物の開口部外側に面格子を設置すると、建物内からその窓を通って外部に出ることもできなくなる。例えば、地震や火事等の緊急時に近くの窓から外部に脱出しようとしても、面格子が邪魔をして脱出できないため、非常に危険である。
【０００４】
このため、面格子を内部からのみ開閉可能に構成し、緊急時には面格子を開くと共にガラス戸を開くことで、面格子を設置した窓から緊急脱出が可能な構成の面格子等が提供されている。
【０００５】
例えば、下記特許文献１には、横方向に伸縮可能な伸縮式面格子が開示されており、緊急時には、内側からロックを解除して伸縮式面格子をスライドさせて開くことで窓開口部を開放し、人の脱出が可能となる。
【先行技術文献】
【特許文献】
【０００６】
【特許文献１】特開平６−３４６６６９号公報
【発明の概要】
【発明が解決しようとする課題】
【０００７】
しかし、開閉可能な可動面格子は、固定式の面格子と比較して構造が複雑となってしまうため、コストが高くなってしまう。また、開閉可能な構成を採用すると、開閉することのできない固定式面格子と比較して、セキュリティも弱くならざるを得ない。
【０００８】
本発明は、このような課題に鑑みてなされたものであり、緊急時の脱出が可能であると共に低コストでセキュリティも確保した面格子付の窓建具を提供することを目的とする。
【課題を解決するための手段】
【０００９】
上記課題を解決するための本発明に係る窓建具は、建物の窓開口部に設置された窓枠と、前記窓枠に対してスライド可能に設置された第一引き戸及び第二引き戸と、前記第一引き戸及び前記第二引き戸が閉じられた状態で、前記第一引き戸の外側だけに設置された片側固定面格子と、前記第二引き戸を閉じた状態で、前記第二引き戸のみを前記窓枠に対して固定するための引き戸ロック部材と、を備えることを特徴とする。
【００１０】
また、本発明に係る窓建具は、第一引き戸及び第二引き戸が窓枠に対してスライド可能に設置された窓建具のセキュリティを向上させるために設置される窓建具において、前記第一引き戸及び前記第二引き戸が閉じられた状態で、前記第一引き戸の外側だけに設置される片側固定面格子と、前記第二引き戸を閉じた状態で、前記第二引き戸のみを前記窓枠に対して固定するための引き戸ロック部材と、を備えることを特徴とする。
【発明の効果】
【００１１】
本発明によれば、緊急時には、片側固定面格子が設置されていない側のガラス戸を開くことで、窓開口部からの脱出が可能となる。また、片側固定面格子が設置されていない側のガラス戸を、外部からは解除できないように窓枠に対して固定することで、当該窓開口部における外部からの侵入を阻止しながら風通しを行うこともできる。
【図面の簡単な説明】
【００１２】
【図１】図１は、本実施形態に係る窓建具を建物の外側から見た図である。
【図２】図２は、本実施形態に係る窓建具を建物の内側から見た図である。
【図３】図３は、図２の窓建具の引き戸ロック部材の部分を拡大して示す図である。
【図４】図４は、本実施形態に係る窓建具の使用態様の一例を示す図である。
【発明を実施するための形態】
【００１３】
まず、図１〜図３を参照しながら本発明の実施形態について詳細に説明する。図１は、本実施形態に係る窓建具を建物の外側から見た図である。図２は、本実施形態に係る窓建具を建物の内側から見た図である。図３は、図２の引き戸ロック部材の部分を拡大して示す図である。
【００１４】
図１及び図２に示すように、窓建具１は、建物５の外側に設置された片側面格子１０と、引き戸であるガラス戸２０と、窓枠３０と、引き戸ロック部材４０とを備えている。ガラス戸２０は、図１において左側に位置する第一ガラス戸２１と、同じく右側に位置する第二ガラス戸２２と、窓鍵２４とを備えている。窓の開閉時には、第一ガラス戸２１が内側において、第二ガラス戸２２が外側において、窓枠３０に対してスライドするように構成されている。図１及び図２では、第一ガラス戸２１と第二ガラス戸２２の双方が閉じた状態を示しており、窓鍵２４が閉められている。
【００１５】
片側面格子１０は、窓開口部の片側（図１の左側）半分だけに固定式で設置されている。すなわち、窓が閉められた状態で、片側面格子１０は第一ガラス戸２１の外側だけに設置されており、第二ガラス戸２２の外側には面格子が設置されていない。したがって、第一ガラス戸２１を開いたときには、開口部分に片側面格子１０が位置するため、人が窓開口部を通過することができないが、第二ガラス戸２２を開いた場合には、開口部分に面格子が存在しないため、人が窓開口部を通過することが可能となる。
【００１６】
片側面格子１０は、建物５の外壁に固定された下側横枠１１及び上側横枠１２と、下端が下側横枠１１、上端が上側横枠１２に固定された複数の縦格子１４とを備えている。複数の縦格子１４は、所定の間隔（例えば、10cm間隔）で設置されており、片側面格子１０を人が通過することができない。
【００１７】
続いて、図３を参照しながら、引き戸ロック部材４０について説明する。図３は、図２の引き戸ロック部材４０の近傍を拡大して示す拡大図である。引き戸ロック部材４０は、いわゆる南京落とし（丸落とし）と呼ばれるパーツであり、第二ガラス戸２２に固定された本体４１に対して、ボルト４２が上下動可能に構成されている。
【００１８】
引き戸ロック部材４０は、第二ガラス戸２２の下端部分であって第一ガラス戸２１に寄った部分に設置されている。また、第二ガラス戸２２が閉じた状態で引き戸ロック部材４０の下方に位置する窓枠３０の部分には、ボルト４２が挿入されるロック用穴３１が形成されている。
【００１９】
ボルト４２が上端に位置するときには、ボルト４２はロック用穴３１に差し込まれておらず、第二ガラス戸２２は、窓枠３０に対してスライド自在である。一方、ボルト４２が下端に落とされたときには、ボルト４２がロック用穴３１に差し込まれた状態となり、第二ガラス戸２２は、引き戸ロック部材４０によって窓枠３０に対して固定された状態となり、スライドさせることができない。
【００２０】
以上、本実施形態に係る窓建具１の構成について詳細に説明したが、続いて、窓建具１の使用態様について、さらに、図４を参照しながら説明する。図４は、本実施形態に係る窓建具の使用態様の一例を示す図であり、窓建具を建物の内側から見た図である。
【００２１】
本使用態様は、セキュリティを確保しながら建物内の風通しを行う場合の態様である。この場合、まず、第一ガラス戸２１及び第二ガラス戸２２を閉じた状態で、引き戸ロック部材４０により第二ガラス戸２２をロックする。すなわち、第二ガラス戸２２を閉じた状態で、引き戸ロック部材４０のボルト４２を下方のロック用穴３１に挿入する。
【００２２】
第二ガラス戸２２をロックすると、第二ガラス戸２２の開閉は出来ないが、第一ガラス戸２１の開閉は自在に行うことができる。そして、第二ガラス戸２２を閉じた状態で第一ガラス戸２１を開くと、図４に示す状態となる。
【００２３】
このとき、図４の窓開口部の左側半分は、固定された第二ガラス戸２２によって完全に塞がれた状態となっている。一方、第一ガラス戸２１が開いている右側半分には、片側面格子１０の縦格子１４が所定の間隔で設置されているため、風や細い棒状の物等は、窓開口部の右側半分を通過することができるが、人間等の幅のあるものは通過することができない。
【００２４】
よって、建物５の外に居る人にとっては、窓開口部の片側半分は、窓枠３０に対して固定された第二ガラス戸２２、もう一方の片側半分は、片側面格子１０の存在により、通過することができない状態となる。
【００２５】
以上、本実施形態によれば、防犯上のセキュリティを確保したうえで、窓開口部に風を通すことができるので、夏の寝苦しい夜等に安全性を担保しながら風通しをして寝苦しさを解消することも可能となる。また、火事や地震等の非常時であって窓開口部から外部に脱出する必要がある際には、内側から引き戸ロック部材４０を解除して固定面格子１０が設置されていない側の第二ガラス戸２２を開けることで、容易に脱出が可能である。
【００２６】
また、本実施形態に係る窓建具１は、窓枠及びガラス引き戸から構成される既存の窓建具に、引き戸ロック部材４０及び片側固定面格子１０からなる窓建具を追加するだけで実現することできる。よって、既存の多数の建物に設置されている窓建具の防犯性を、緊急時の脱出を可能としつつも低コストで手軽に高めることができる。
【００２７】
また、本実施形態では、引き戸ロック部材４０が、第二ガラス戸２２と第一ガラス戸２１との間に位置しているので、引き戸ロック部材４０によって第二ガラス戸２２を固定した後に、窓開口部を開放するために第一ガラス戸２１を開くと、引き戸ロック部材４０が第一ガラス戸２１によって覆われことになる。この状態では、引き戸ロック部材４０にアクセスして引き戸ロック部材４０のロックを解除することができない。
【００２８】
よって、建物５の外部に居る人が内部に進入しようとして、片側面格子１０の隙間から手や棒部材を内部に入れて引き戸ロック部材４０のロックを外そうとしても、第一ガラス戸２１に覆われた引き戸ロック部材４０にアクセスすることができないため、絶対にロックを外すことができない。
【００２９】
このように、第二ガラス戸２２を固定するための引き戸ロック部材４０を、第二ガラス戸２２と第一ガラス戸２１との間に設置することで、窓開口部を開放した状態では、引き戸ロック部材４０のロックを解除することはできず、第一ガラス戸２１を閉じて窓開口部を閉じた状態でしかロックを解除することができないため、より防犯性を高めることができる。
【００３０】
なお、第二ガラス戸２２を窓枠に対して固定する引き戸ロック部材４０の設置位置は適宜変更できることは言うまでもない。例えば、本実施形態では、第二ガラス戸２２の下部に設置しているが、上部に設置しても良いし、サイドの窓枠３０に面する横側端部（図２の左側端部）に設置しても良い。但し、第二ガラス戸２２を閉じた状態で建物５の外側から引き戸ロック部材４０に容易にアクセスしてロックを解除されることがないように、第二ガラス戸２２の内側に引き戸ロック部材４０を設置することが望ましい。
【００３１】
また、上述したように、第一ガラス戸２１を閉じたときに、引き戸ロック部材４０をカバーすることで、引き戸ロック部材４０へアクセスできないようにすれば、さらに防犯性を向上させることができるので、引き戸ロック部材２０は、第二ガラス戸２２と第一ガラス戸２１との間に設置することが望ましい。
【００３２】
さらに、第一ガラス戸２１を全部開けた状態（図４で第一ガラス戸２１を左端まで開いた状態）としなくても引き戸ロック部材４０をカバーできるように、引き戸ロック部材４０は、第一ガラス戸２１に寄った側（図４の右側）に設置することが望ましい。例えば、第二ガラス戸２２の横方向中心よりも第一ガラス戸２１側に設置しておけば、少なくとも第一ガラス戸２１を半分閉めれば、引き戸ロック部材４０をカバーしてセキュリティを向上させることができる。
【００３３】
また、本発明の実施の形態は、本発明の主旨を逸脱しない範囲内でさらに種々の変形が可能である。例えば、本実施形態では、窓枠にガラス戸を填めているが、ガラス製以外の他の引き戸を用いても良い。
【００３４】
また、本実施形態では、第二ガラス戸（第二引き戸）を内部から固定するための引き戸ロック部材として、南京落とし（丸落とし）を用いているが、第二引き戸のスライドを固定できる部材であれば、適宜他のロック部材を用いることができる。
【符号の説明】
【００３５】
１            窓建具
５            建物
１０          片側面格子
２０          ガラス戸
２１          第一ガラス戸
２２          第二ガラス戸
３０          窓枠
４０          引き戸ロック部材
【図１】
2011058191.tif 000003
【図２】
2011058191.tif 000004
【図３】
2011058191.tif 000005
【図４】
2011058191.tif 000006
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
建物の窓開口部に設置された窓枠と、
内側において前記窓枠に対してスライド可能に設置された第一引き戸と、
外側において前記窓枠に対してスライド可能に設置された第二引き戸と、
前記第一引き戸及び前記第二引き戸が閉じられた状態で、建物の外壁に固定されて前記第一引き戸の外側だけに設置された開閉不可能な固定式の片側固定面格子と、
前記第二引き戸を閉じた状態で、前記第二引き戸のみを前記窓枠に対して固定するための引き戸ロック部材であって、外側からアクセスできないよう、且つ、前記第二引き戸を固定した状態で前記第一引き戸を開いたときに当該第一引き戸によって覆われるように、前記第二引き戸の内側の上部又は下部に設置された引き戸ロック部材と、を備えることを特徴とする窓建具。
【請求項２】
第一引き戸が内側において、第二引き戸が外側において窓枠に対してスライド可能に設置された窓建具のセキュリティを向上させるために設置される窓建具において、
前記第一引き戸及び前記第二引き戸が閉じられた状態で、建物の外壁に固定されて前記第一引き戸の外側だけに設置された開閉不可能な固定式の片側固定面格子と、
前記第二引き戸を閉じた状態で、前記第二引き戸のみを前記窓枠に対して固定するための引き戸ロック部材であって、外側からアクセスできないように、且つ、前記第二引き戸を固定した状態で前記第一引き戸を開いたときに当該第一引き戸によって覆われるように、前記第二引き戸の内側の上部又は下部に設置された引き戸ロック部材と、を備えることを特徴とする窓建具。
【手続補正２】
【補正対象書類名】明細書
【補正対象項目名】０００９
【補正方法】変更
【補正の内容】
【０００９】
上記課題を解決するために、本発明に係る窓建具は、建物の窓開口部に設置された窓枠と、内側において前記窓枠に対してスライド可能に設置された第一引き戸と、外側において前記窓枠に対してスライド可能に設置された第二引き戸と、前記第一引き戸及び前記第二引き戸が閉じられた状態で、建物の外壁に固定されて前記第一引き戸の外側だけに設置された開閉不可能な固定式の片側固定面格子と、前記第二引き戸を閉じた状態で、前記第二引き戸のみを前記窓枠に対して固定するための引き戸ロック部材であって、外側からアクセスできないよう、且つ、前記第二引き戸を固定した状態で前記第一引き戸を開いたときに当該第一引き戸によって覆われるように、前記第二引き戸の内側の上部又は下部に設置された引き戸ロック部材と、を備えることを特徴とする。
【手続補正３】
【補正対象書類名】明細書
【補正対象項目名】００１０
【補正方法】変更
【補正の内容】
【００１０】
また、本発明に係る窓建具は、第一引き戸が内側において、第二引き戸が外側において窓枠に対してスライド可能に設置された窓建具のセキュリティを向上させるために設置される窓建具において、前記第一引き戸及び前記第二引き戸が閉じられた状態で、建物の外壁に固定されて前記第一引き戸の外側だけに設置された開閉不可能な固定式の片側固定面格子と、前記第二引き戸を閉じた状態で、前記第二引き戸のみを前記窓枠に対して固定するための引き戸ロック部材であって、外側からアクセスできないように、且つ、前記第二引き戸を固定した状態で前記第一引き戸を開いたときに当該第一引き戸によって覆われるように、前記第二引き戸の内側の上部又は下部に設置された引き戸ロック部材と、を備えることを特徴とする。
【手続補正４】
【補正対象書類名】明細書
【補正対象項目名】００１１
【補正方法】変更
【補正の内容】
【００１１】
本発明によれば、緊急時には、片側固定面格子が設置されていない側のガラス戸を開くことで、窓開口部からの脱出が可能となる。また、片側固定面格子が設置されていない側の引き戸を、外部からは解除できないように窓枠に対して固定することで、当該窓開口部における外部からの侵入を阻止しながら風通しを行うこともできる。
【手続補正５】
【補正対象書類名】明細書
【補正対象項目名】００２６
【補正方法】変更
【補正の内容】
【００２６】
また、本実施形態に係る窓建具１は、窓枠及びガラス引き戸から構成される既存の窓建具に、引き戸ロック部材４０及び片側固定面格子１０からなる窓建具を追加するだけで実現することができる。よって、既存の多数の建物に設置されている窓建具の防犯性を、緊急時の脱出を可能としつつも低コストで手軽に高めることができる。
【手続補正６】
【補正対象書類名】明細書
【補正対象項目名】００２７
【補正方法】変更
【補正の内容】
【００２７】
また、本実施形態では、引き戸ロック部材４０が、第二ガラス戸２２と第一ガラス戸２１との間に位置しているので、引き戸ロック部材４０によって第二ガラス戸２２を固定した後に、窓開口部を開放するために第一ガラス戸２１を開くと、引き戸ロック部材４０が第一ガラス戸２１によって覆われることになる。この状態では、引き戸ロック部材４０にアクセスして引き戸ロック部材４０のロックを解除することができない。